(57)【要約】【課題】  本発明の課題は、混入ノイズの影響を低減させた電力変換装置を提供することである。【解決手段】  本発明の一態様によれば、ノイズ除去用コンデンサを、平滑用コンデンサ素子を備えたコンデンサモジュールに内蔵すると共に、前記ノイズ除去用コンデンサの接続位置と前記コンデンサモジュールの出力側電源端子との間の距離より、前記ノイズ除去用コンデンサの接続位置と前記入力側電源端子との間の距離が近くなる位置で、前記ノイズ除去用コンデンサを前記入力側電源端子に電気的に接続したことを特徴とする車両用電力変換装置を特徴とする。【選択図】図１４
2010110065.tif 000002
【特許請求の範囲】
【請求項１】
スイッチング素子を有し、前記スイッチング素子の動作により直流電力を車両駆動用電動機に供給するための交流電力に変換するパワーモジュールと、
平滑用コンデンサ素子と、直流電力を受けるための入力側電源端子と、前記パワーモジュールに直流電力を供給するための出力側電源端子と、を有するコンデンサモジュールと、
ノイズを除去するためのノイズ除去用コンデンサと、
を備え、
前記ノイズ除去用コンデンサを前記コンデンサモジュールに内蔵すると共に、前記ノイズ除去用コンデンサの接続位置と前記コンデンサモジュールの前記出力側電源端子との間の距離より、前記ノイズ除去用コンデンサの接続位置と前記入力側電源端子との間の距離が近くなる位置で、前記ノイズ除去用コンデンサを前記入力側電源端子に電気的に接続したことを特徴とする車両用電力変換装置。
【請求項２】
請求項１に記載された車両用電力変換装置であって、
前記入力側電源端子は、前記平滑用コンデンサ素子を挟んで、前記出力側電源端子と対向して配置される車両用電力変換装置。
【請求項３】
請求項１に記載された車両用電力変換装置であって、
前記コンデンサモジュールは、
正極側導体と負極側導体が積層状態で構成され、かつ前記平滑用コンデンサ素子と前記入力側電源端子とを電気的に接続する板状導体と、
を備える車両用電力変換装置。
【請求項４】
請求項３に記載された車両用電力変換装置であって、
前記コンデンサモジュールは、少なくとも前記平滑用コンデンサ素子を収納するためのケースと、を有し、
前記板状導体は、前記ケースの収納部内で前記平滑用コンデンサ素子と電気的に接続され、かつ前記正極側導体と前記負極側導体との積層状態で前記ケースの収納部からケース外部に延設され、さらに該板状導体の先端に前記出力側電源端子が形成される車両用電力変換装置。
【請求項５】
請求項１に記載された車両用電力変換装置であって、
前記コンデンサモジュールは、少なくとも前記平滑用コンデンサ素子と前記ノイズ除去用コンデンサを収納するためのケースと、
前記平滑用コンデンサ素子と前記ノイズ除去用コンデンサを、前記ケース内に封止するための封止材と、を備える車両用電力変換装置。
【請求項６】
請求項４または５に記載されたいずれかの車両用電力変換装置であって、
前記パワーモジュール、前記コンデンサモジュール、及び前記ノイズ除去用コンデンサを収納するための金属製筐体を備え、
前記金属製筐体は、前記コンデンサモジュールの前記ケースを該金属製筐体に固定するための固定部を備え、
前記ノイズ除去用コンデンサは、該ノイズ除去用コンデンサのグランド側端子から延びる配線が前記固定部と電気的に接続される車両用電力変換装置。
【請求項７】
請求項１に記載された車両用電力変換装置であって、
前記平滑用コンデンサモジュールに蓄えられた電荷を放電するための放電回路部を備え、
該放電回路部は、前記平滑用コンデンサ素子を挟んで、かつ前記ノイズ除去用コンデンサと対向して配置される車両用電力変換装置。
【発明の詳細な説明】
【技術分野】
【０００１】
本発明は電力変換装置に係り、特にハイブリッド自動車または電気自動車の駆動用の電力変換装置に係るものである。
【背景技術】
【０００２】
電力変換装置の小型化のために、当該装置を構成するコンポーネントをモジュール化する技術は従来から検討されている。例えば、特開２００４−１０４８６０号公報（特許文献１）に示された技術では、平滑用のフィルムコンデンサを基板に搭載し、さらに混入ノイズを低減するためのラインバイパスコンデンサ、及び放電抵抗も同基板上に搭載される提案がなされている。
【０００３】
しかしながら、電力変換装置に混入するノイズの影響を更に低減することが求められる。
【０００４】
【特許文献１】特開２００４−１０４８６０号公報
【発明の開示】
【発明が解決しようとする課題】
【０００５】
本発明の課題は、混入ノイズの影響を低減させた電力変換装置を提供することである。
【課題を解決するための手段】
【０００６】
本発明の一態様によれば、ノイズ除去用コンデンサの接続位置と前記コンデンサモジュールの出力側電源端子の位置との間の距離より、前記ノイズ除去用コンデンサの接続位置と前記入力側電源端子との間の距離が短くなる位置で、前記ノイズ除去用コンデンサと前記入力側電源端子とが電気的に接続されていることを特徴とする。
【０００７】
これにより、ノイズ除去用コンデンサは、パワーモジュール等によるスイッチング時の影響を受けにくくなり、電力変換装置に混入するノイズの影響を低減することができる。
【発明の効果】
【０００８】
本発明を用いた電力変換装置により、混入ノイズの影響を低減することができる。
【発明を実施するための最良の形態】
【０００９】
本発明の実施形態に係る電力変換装置について、図面を参照しながら以下詳細に説明する。本発明の実施形態に係る電力変換装置は、ハイブリッド用の自動車や純粋な電気自動車に適用可能であるが、代表例として、本発明の実施形態に係る電力変換装置をハイブリッド自動車に適用した場合の制御構成と電力変換装置の回路構成について、図１と図２を用いて説明する。図１はハイブリッド自動車の制御ブロックを示す図である。
【００１０】
本発明の実施形態に係る電力変換装置では、自動車に搭載される車載電機システムの車載用電力変換装置、特に、車両駆動用電機システムに用いられ、搭載環境や動作的環境などが大変厳しい車両駆動用インバータ装置を例に挙げて説明する。車両駆動用インバータ装置は、車両駆動用電動機の駆動を制御する制御装置として車両駆動用電機システムに備えられ、車載電源を構成する車載バッテリ或いは車載発電装置から供給された直流電力を所定の交流電力に変換し、得られた交流電力を車両駆動用電動機に供給して車両駆動用電動機の駆動を制御する。また、車両駆動用電動機は発電機としての機能も有しているので、車両駆動用インバータ装置は運転モードに応じ、車両駆動用電動機の発生する交流電力を直流電力に変換する機能も有している。変換された直流電力は車載バッテリに供給される。
【００１１】
なお、本実施形態の構成は、自動車やトラックなどの車両駆動用電力変換装置として最適であるが、これら以外の電力変換装置、例えば電車や船舶，航空機などの電力変換装置、さらに工場の設備を駆動する電動機の制御装置として用いられる産業用電力変換装置、或いは家庭の太陽光発電システムや家庭の電化製品を駆動する電動機の制御装置に用いられたりする家庭用電力変換装置に対しても適用可能である。
【００１２】
図１において、ハイブリッド電気自動車（以下、「ＨＥＶ」と記述する）１１０は１つの電動車両であり、２つの車両駆動用システムを備えている。その１つは、内燃機関であるエンジン１２０を動力源としたエンジンシステムである。エンジンシステムは、主としてＨＥＶの駆動源として用いられる。もう１つは、モータジェネレータ１９２，１９４を動力源とした車載電機システムである。車載電機システムは、主としてＨＥＶの駆動源及びＨＥＶの電力発生源として用いられる。モータジェネレータ１９２，１９４は例えば同期機あるいは誘導機であり、運転方法によりモータとしても発電機としても動作するので、ここではモータジェネレータと記すこととする。
【００１３】
車体のフロント部には前輪車軸１１４が回転可能に軸支されている。前輪車軸１１４の両端には１対の前輪１１２が設けられている。車体のリア部には後輪車軸（図示省略）が回転可能に軸支されている。後輪車軸の両端には１対の後輪が設けられている。本実施形態のＨＥＶでは、動力によって駆動される主輪を前輪１１２とし、連れ回される従輪を後輪とする、いわゆる前輪駆動方式を採用しているが、この逆、すなわち後輪駆動方式を採用しても構わない。
【００１４】
前輪車軸１１４の中央部には前輪側デファレンシャルギア（以下、「前輪側ＤＥＦ」と記述する）１１６が設けられている。前輪車軸１１４は前輪側ＤＥＦ１１６の出力側に機械的に接続されている。前輪側ＤＥＦ１１６の入力側には変速機１１８の出力軸が機械的に接続されている。前輪側ＤＥＦ１１６は、変速機１１８によって変速されて伝達された回転駆動力を左右の前輪車軸１１４に分配する差動式動力分配機構である。変速機１１８の入力側にはモータジェネレータ１９２の出力側が機械的に接続されている。モータジェネレータ１９２の入力側には動力分配機構１２２を介してエンジン１２０の出力側及びモータジェネレータ１９４の出力側が機械的に接続されている。尚、モータジェネレータ１９２，１９４及び動力分配機構１２２は、変速機１１８の筐体の内部に収納されている。
【００１５】
モータジェネレータ１９２，１９４は、回転子に永久磁石を備えた同期機であり、固定子の電機子巻線に供給される交流電力がインバータ装置１４０，１４２によって制御されることによりモータジェネレータ１９２，１９４の駆動が制御される。インバータ装置１４０，１４２にはバッテリ１３６が電気的に接続されており、バッテリ１３６とインバータ装置１４０，１４２との相互において電力の授受が可能である。
【００１６】
本実施形態では、モータジェネレータ１９２及びインバータ装置１４０からなる第１電動発電ユニットと、モータジェネレータ１９４及びインバータ装置１４２からなる第２電動発電ユニットとの２つを備え、運転状態に応じてそれらを使い分けている。すなわち、エンジン１２０からの動力によって車両を駆動している場合において、車両の駆動トルクをアシストする場合には第２電動発電ユニットを発電ユニットとしてエンジン１２０の動力によって作動させて発電させ、その発電によって得られた電力によって第１電動発電ユニットを電動ユニットとして作動させる。また、同様の場合において、車両の車速をアシストする場合には第１電動発電ユニットを発電ユニットとしてエンジン１２０の動力によって作動させて発電させ、その発電によって得られた電力によって第２電動発電ユニットを電動ユニットとして作動させる。
【００１７】
また、本実施形態では、バッテリ１３６の電力によって第１電動発電ユニットを電動ユニットとして作動させることにより、モータジェネレータ１９２の動力のみによって車両の駆動ができる。さらに、本実施形態では、第１電動発電ユニット又は第２電動発電ユニットを発電ユニットとしてエンジン１２０の動力或いは車輪からの動力によって作動させて発電させることにより、バッテリ１３６の充電ができる。
【００１８】
バッテリ１３６はさらに補機用のモータ１９５を駆動するための電源としても使用される。補機としては例えばエアコンディショナーのコンプレッサを駆動するモータ、あるいは制御用の油圧ポンプを駆動するモータであり、バッテリ１３６からインバータ４３装置に直流電力が供給され、インバータ装置４３で交流の電力に変換されてモータ１９５に供給される。前記インバータ装置４３はインバータ装置１４０や１４２と同様の機能を持ち、モータ１９５に供給する交流の位相や周波数，電力を制御する。例えばモータ１９５の回転子の回転に対し進み位相の交流電力を供給することにより、モータ１９５はトルクを発生する。一方、遅れ位相の交流電力を発生することで、モータ１９５は発電機として作用し、モータ１９５は回生制動状態の運転となる。このようなインバータ装置４３の制御機能はインバータ装置１４０や１４２の制御機能と同様である。モータ１９５の容量がモータジェネレータ１９２や１９４の容量より小さいので、インバータ装置４３の最大変換電力がインバータ装置１４０や１４２より小さいが、インバータ装置４３の回路構成は基本的にインバータ装置１４０や１４２の回路構成と同じである。
【００１９】
インバータ装置１４０や１４２およびインバータ装置４３さらにコンデンサモジュール５００は電気的に密接な関係にある。さらに発熱に対する対策が必要な点が共通している。また装置の体積をできるだけ小さく作ることが望まれている。これらの点から以下で詳述する電力変換装置は、インバータ装置１４０や１４２およびインバータ装置４３さらにコンデンサモジュール５００を電力変換装置の筐体内に内蔵している。この構成により、小型で信頼性の高い装置が実現できる。
【００２０】
またインバータ装置１４０や１４２およびインバータ装置４３さらにコンデンサモジュール５００を一つの筐体に内蔵することで、配線の簡素化やノイズ対策で効果がある。またコンデンサモジュール５００とインバータ装置１４０や１４２およびインバータ装置４３との接続回路のインダクタンスを低減でき、スパイク電圧を低減できると共に、発熱の低減や放熱効率の向上を図ることができる。
【００２１】
次に、図２を用いてインバータ装置１４０や１４２あるいはインバータ装置４３の電気回路構成を説明する。尚、図１，図２に示す実施形態では、インバータ装置１４０や１４２あるいはインバータ装置４３をそれぞれ個別に構成する場合を例に挙げて説明する。インバータ装置１４０や１４２あるいはインバータ装置４３は同様の構成で同様の作用を為し、同様の機能を有しているので、ここでは、代表例としてインバータ装置１４０の説明を行う。
【００２２】
本実施形態に係る電力変換装置２００は、インバータ装置１４０とコンデンサモジュール５００とを備え、インバータ装置１４０はインバータ回路１４４と制御部１７０とを有している。また、インバータ回路１４４は、上アームとして動作するＩＧＢＴ３２８（絶縁ゲート型バイポーラトランジスタ）及びダイオード１５６と、下アームとして動作するＩＧＢＴ３３０及びダイオード１６６と、からなる上下アーム直列回路１５０を複数有し（図２の例では３つの上下アーム直列回路１５０，１５０，１５０）、それぞれの上下アーム直列回路１５０の中点部分（中間電極１６９）から交流端子１５９を通してモータジェネレータ１９２への交流電力線（交流バスバー）１８６と接続する構成である。また、制御部１７０はインバータ回路１４４を駆動制御するドライバ回路１７４と、ドライバ回路１７４へ信号線１７６を介して制御信号を供給する制御回路１７２と、を有している。
【００２３】
上アームと下アームのＩＧＢＴ３２８や３３０は、スイッチング用パワー半導体素子であり、制御部１７０から出力された駆動信号を受けて動作し、バッテリ１３６から供給された直流電力を三相交流電力に変換する。この変換された電力はモータジェネレータ１９２の電機子巻線に供給される。
【００２４】
インバータ回路１４４は３相ブリッジ回路により構成されており、３相分の上下アーム直列回路１５０，１５０，１５０がそれぞれ、バッテリ１３６の正極側と負極側に電気的に接続されている直流正極端子３１４と直流負極端子３１６の間に電気的に並列に接続されている。
【００２５】
本実施形態では、スイッチング用パワー半導体素子としてＩＧＢＴ３２８や３３０を用いることを例示している。ＩＧＢＴ３２８や３３０は、コレクタ電極１５３，１６３，エミッタ電極（信号用エミッタ電極端子１５５，１６５），ゲート電極（ゲート電極端子１５４，１６４）を備えている。ＩＧＢＴ３２８，３３０のコレクタ電極１５３，１６３とエミッタ電極との間にはダイオード１５６，１６６が図示するように電気的に接続されている。ダイオード１５６，１６６は、カソード電極及びアノード電極の２つの電極を備えており、ＩＧＢＴ３２８，３３０のエミッタ電極からコレクタ電極に向かう方向が順方向となるように、カソード電極がＩＧＢＴ３２８，３３０のコレクタ電極に、アノード電極がＩＧＢＴ３２８，３３０のエミッタ電極にそれぞれ電気的に接続されている。スイッチング用パワー半導体素子としてはＭＯＳＦＥＴ（金属酸化物半導体型電界効果トランジスタ）を用いてもよい、この場合はダイオード１５６やダイオード１６６は不要となる。
【００２６】
上下アーム直列回路１５０は、モータジェネレータ１９２の電機子巻線の各相巻線に対応して３相分設けられている。３つの上下アーム直列回路１５０，１５０，１５０はそれぞれ、ＩＧＢＴ３２８のエミッタ電極とＩＧＢＴ３３０のコレクタ電極１６３を接続する中間電極１６９，交流端子１５９を介してモータジェネレータ１９２へのＵ相，Ｖ相，Ｗ相を形成している。上下アーム直列回路同士は電気的に並列接続されている。上アームのＩＧＢＴ３２８のコレクタ電極１５３は正極端子（Ｐ端子）１５７を介してコンデンサモジュール５００の正極側コンデンサ電極に、下アームのＩＧＢＴ３３０のエミッタ電極は負極端子（Ｎ端子）１５８を介してコンデンサモジュール５００の負極側コンデンサ電極にそれぞれ電気的に接続（直流バスバーで接続）されている。各アームの中点部分（上アームのＩＧＢＴ３２８のエミッタ電極と下アームのＩＧＢＴ３３０のコレクタ電極との接続部分）にあたる中間電極１６９は、モータジェネレータ１９２の電機子巻線の対応する相巻線に交流コネクタ１８８を介して電気的に接続されている。
【００２７】
コンデンサモジュール５００は、ＩＧＢＴ３２８，３３０のスイッチング動作によって生じる直流電圧の変動を抑制する平滑回路を構成するためのものである。コンデンサモジュール５００の正極側コンデンサ電極にはバッテリ１３６の正極側が、コンデンサモジュール５００の負極側コンデンサ電極にはバッテリ１３６の負極側がそれぞれ直流コネクタ１３８を介して電気的に接続されている。これにより、コンデンサモジュール５００は、上アームＩＧＢＴ３２８のコレクタ電極１５３とバッテリ１３６の正極側との間と、下アームＩＧＢＴ３３０のエミッタ電極とバッテリ１３６の負極側との間で接続され、バッテリ１３６と上下アーム直列回路１５０に対して電気的に並列接続される。
【００２８】
制御部１７０はＩＧＢＴ３２８，３３０を作動させるためのものであり、他の制御装置やセンサなどからの入力情報に基づいて、ＩＧＢＴ３２８，３３０のスイッチングタイミングを制御するためのタイミング信号を生成する制御回路１７２と、制御回路１７２から出力されたタイミング信号に基づいて、ＩＧＢＴ３２８，３３０をスイッチング動作させるためのドライブ信号を生成するドライブ回路１７４とを備えている。
【００２９】
制御回路１７２は、ＩＧＢＴ３２８，３３０のスイッチングタイミングを演算処理するためのマイクロコンピュータ（以下、「マイコン」と記述する）を備えている。マイコンには入力情報として、モータジェネレータ１９２に対して要求される目標トルク値，上下アーム直列回路１５０からモータジェネレータ１９２の電機子巻線に供給される電流値、及びモータジェネレータ１９２の回転子の磁極位置が入力されている。目標トルク値は、不図示の上位の制御装置から出力された指令信号に基づくものである。電流値は、電流センサ１８０から出力された検出信号に基づいて検出されたものである。磁極位置は、モータジェネレータ１９２に設けられた回転磁極センサ（不図示）から出力された検出信号に基づいて検出されたものである。本実施形態では３相の電流値を検出する場合を例に挙げて説明するが、２相分の電流値を検出するようにしても構わない。
【００３０】
制御回路１７２内のマイコンは、目標トルク値に基づいてモータジェネレータ１９２のｄ，ｑ軸の電流指令値を演算し、この演算されたｄ，ｑ軸の電流指令値と、検出されたｄ，ｑ軸の電流値との差分に基づいてｄ，ｑ軸の電圧指令値を演算し、この演算されたｄ，ｑ軸の電圧指令値を、検出された磁極位置に基づいてＵ相，Ｖ相，Ｗ相の電圧指令値に変換する。そして、マイコンは、Ｕ相，Ｖ相，Ｗ相の電圧指令値に基づく基本波（正弦波）と搬送波（三角波）との比較に基づいてパルス状の変調波を生成し、この生成された変調波をＰＷＭ（パルス幅変調）信号としてドライバ回路１７４に出力する。
【００３１】
ドライバ回路１７４は、下アームを駆動する場合、ＰＷＭ信号を増幅し、これをドライブ信号として、対応する下アームのＩＧＢＴ３３０のゲート電極に、上アームを駆動する場合、ＰＷＭ信号の基準電位のレベルを上アームの基準電位のレベルにシフトしてからＰＷＭ信号を増幅し、これをドライブ信号として、対応する上アームのＩＧＢＴ３２８のゲート電極にそれぞれ出力する。これにより、各ＩＧＢＴ３２８，３３０は、入力されたドライブ信号に基づいてスイッチング動作する。
【００３２】
また、制御部１７０は、異常検知（過電流，過電圧，過温度など）を行い、上下アーム直列回路１５０を保護している。このため、制御部１７０にはセンシング情報が入力されている。例えば各アームの信号用エミッタ電極端子１５５，１６５からは各ＩＧＢＴ３２８，３３０のエミッタ電極に流れる電流の情報が、対応する駆動部（ＩＣ）に入力されている。これにより、各駆動部（ＩＣ）は過電流検知を行い、過電流が検知された場合には対応するＩＧＢＴ３２８，３３０のスイッチング動作を停止させ、対応するＩＧＢＴ３２８，３３０を過電流から保護する。上下アーム直列回路１５０に設けられた温度センサ（不図示）からは上下アーム直列回路１５０の温度の情報がマイコンに入力されている。また、マイコンには上下アーム直列回路１５０の直流正極側の電圧の情報が入力されている。マイコンは、それらの情報に基づいて過温度検知及び過電圧検知を行い、過温度或いは過電圧が検知された場合には全てのＩＧＢＴ３２８，３３０のスイッチング動作を停止させ、上下アーム直列回路１５０（引いては、この回路１５０を含む半導体モジュール）を過温度或いは過電圧から保護する。
【００３３】
インバータ回路１４４の上下アームのＩＧＢＴ３２８，３３０の導通および遮断動作が一定の順で切り替わり、この切り替わり時のモータジェネレータ１９２の固定子巻線の電流は、ダイオード１５６，１６６によって作られる回路を流れる。
【００３４】
上下アーム直列回路１５０は、図示するように、Positive端子（Ｐ端子，正極端子）１５７，Negative端子（Ｎ端子１５８，負極端子），上下アームの中間電極１６９からの交流端子１５９，上アームの信号用端子（信号用エミッタ電極端子）１５５，上アームのゲート電極端子１５４，下アームの信号用端子（信号用エミッタ電極端子）１６５，下アームのゲート端子電極１６４、を備えている。また、電力変換装置２００は、入力側に直流コネクタ１３８を有し、出力側に交流コネクタ１８８を有して、それぞれのコネクタ１３８と１８８を通してバッテリ１３６とモータジェネレータ１９２にそれぞれ接続される。また、モータジェネレータへ出力する３相交流の各相の出力を発生する回路として、各相に２つの上下アーム直列回路を並列接続する回路構成の電力変換装置であってもよい。
【００３５】
図３〜図７において、２００は電力変換装置、１０は上部ケース、１１は金属ベース板、１２は筐体、１３は冷却水入口配管、１４は冷却水出口配管、４２０はカバー、１６は下部ケース、１７は交流ターミナルケース、１８は交流ターミナル、１９は冷却水流路、２０は制御回路基板で制御回路１７２を保持している。２１は外部との接続のためのコネクタ、２２は駆動回路基板でドライバ回路１７４を保持している。３００はパワーモジュール（半導体モジュール部）で２個設けられており、それぞれのパワーモジュールにはインバータ回路１４４が内蔵されている。７００は平板積層バスバー、８００はＯリング、３０４は金属ベース、１８８は交流コネクタ、３１４は直流正極端子、３１６は直流負極端子、５００はコンデンサモジュール、５０２はコンデンサケース、５０４は正極側コンデンサ端子、５０６は負極側コンデンサ端子、５１４はコンデンサセル、をそれぞれ表す。
【００３６】
図３は、本発明の実施形態に係る電力変換装置の全体構成の外観斜視図を示す。本実施形態に係る電力変換装置２００の外観は、上面あるいは底面が略長方形の筐体１２と、前記筐体１２の短辺側の外周の１つに設けられた冷却水入口配管１３および冷却水出口配管１４と、前記筐体１２の上部開口を塞ぐための上部ケース１０と、前記筐体１２の下部開口を塞ぐための下部ケース１６とを固定して形成されたものである。筐体１２の底面図あるいは上面図の形状を略長方形としたことで、車両への取り付けが容易となり、また生産し易い効果がある。
【００３７】
前記電力変換装置２００の長辺側の外周にはモータジェネレータ１９２や１９４との接続を助けるための２組の交流ターミナルケース１７が設けられる。交流ターミナル１８は、パワーモジュール３００とモータジェネレータ１９２，１９４とを電気的に接続して、該パワーモジュール３００から出力される交流電流を該モータジェネレータ１９２，１９４へ伝達する。
【００３８】
コネクタ２１は、筐体１２に内蔵された制御回路基板２０に接続されており、外部からの各種信号を該制御回路基板２０に伝送する。直流電源側の負極側接続端子部５１０と直流電源側の正極側接続端子部５１２は、バッテリ１３６とコンデンサモジュール５００とを電気的に接続する。ここで本実施形態では、コネクタ２１は、前記筐体１２の短辺側の外周面の一方側に設けられる。一方、直流電源側の負極側接続端子部５１０と直流電源側の）正極側接続端子部５１２は、前記コネクタ２１が設けられた面とは反対側の短辺側の外周面に設けられる。つまり、コネクタ２１と直流電源側の負極側接続端子部５１０が離れた配置となっている。これにより、直流電源側の負極側接続端子部５１０から筐体１２に侵入し、さらにコネクタ２１まで伝播するノイズを低減することでき、制御回路基板２０によるモータの制御性を向上させることができる。
【００３９】
図４は、本発明の実施形態に係る電力変換装置の全体構成を各構成要素に分解した斜視図である。
【００４０】
図４に示すように、筐体１２の中ほどに冷却水流路１９が設けられ、該冷却水流路１９の上部には流れの方向に並んで２組の開口４００と４０２が形成されている。前記２組の開口４００と４０２がそれぞれパワーモジュール３００で塞がれる様に２個のパワーモジュール３００が前記冷却水流路１９の上面に固定されている。各パワーモジュール３００には放熱のためのフィン３０５が設けられており、各パワーモジュール３００のフィン３０５はそれぞれ前記冷却水流路１９の開口４００と４０２から冷却水の流れの中に突出している。
【００４１】
前記冷却水流路１９の下側にはアルミ鋳造を行いやすくするための開口４０４が形成されており、前記開口４０４はカバー４２０で塞がれている。また前記冷却水流路１９の下側には補機用のインバータ装置４３が取り付けられている。前記補機用のインバータ装置４３は、図２に示すインバータ回路１４４と同様の回路が内蔵されており、前記インバータ回路１４４を構成しているパワー半導体素子を内蔵したパワーモジュールを有している。補機用のインバータ装置４３は前記内蔵している前記パワーモジュールの放熱金属面が前記冷却水流路１９の下面に対向するようにして、前記冷却水流路１９の下面に固定されている。また、パワーモジュール３００と筐体１２との間には、シールをするためのＯリング８００が設けられ、さらにカバー４２０と筐体１２との間にもＯリング８０２が設けられる。本実施形態ではシール材をＯリングとしているが、Ｏリングの代わりに樹脂材・液状シール・パッキンなどを代用しても良く、特に液状シールを用いた場合には電力変換装置２００の組立性を向上させることができる。
【００４２】
さらに前記冷却水流路１９の下部に放熱作用をためす下部ケース１６が設けられ、前記下部ケース１６にはコンデンサモジュール５００が、コンデンサモジュール５００の金属材からなるケースの放熱面が前記下部ケース１６の面に対向するようにして前記下部ケース１６の面に固定されている。この構造により冷却水流路１９の上面と下面とを利用して効率良く冷却することができ、電力変換装置全体の小型化に繋がる。
【００４３】
冷却水入出口配管１３，１４からの冷却水が冷却水流路１９を流れることによって、併設されている２個のパワーモジュール３００が有する放熱フィンが冷却され、前記２個のパワーモジュール３００全体が冷却される。冷却水流路１９の下面に設けられた補機用のインバータ装置４３も同時に冷却する。
【００４４】
さらに冷却水流路１９が設けられている筐体１２が冷却されることにより、筐体１２の下部に設けられた下部ケース１６が冷却され、この冷却によりコンデンサモジュール５００の熱が下部ケース１６および筐体１２を介して冷却水に熱的伝導され、コンデンサモジュール５００が冷却される。
【００４５】
パワーモジュール３００の上方には、該パワーモジュール３００とコンデンサモジュール５００とを電気的に接続するための積層導体板７００が配置される。この積層導体板７００は、２つのパワーモジュール３００に跨って、２つのパワーモジュール３００の幅方向に幅広に構成されている。さらに、積層導体板７００は、コンデンサモジュール５００の正極側端子と接続される正極側導体板７０２と、負極側端子と接続される負極側導体板７０４と、該正極側端子と該負極側端子と間に配置される絶縁部材によって構成される。これにより積層導体板７００の積層面積を広げることができるので、パワーモジュール３００からコンデンサモジュール５００までの寄生インダクタンスの低減を図ることができる。また、一つの積層導体板７００を２つのパワーモジュール３００に載置した後、積層導体板７００とパワーモジュール３００とコンデンサモジュール５００との電気的な接続を行うことができるので、パワーモジュール３００を２つ備える電力変換装置であっても、その組立工数を抑えることができる。
【００４６】
積層導体板７００の上方には制御回路基板２０と駆動回路基板２２とが配置され、駆動回路基板２２には図２に示すドライバ回路１７４が搭載され、制御回路基板２０には図２に示すＣＰＵを有する制御回路１７２が搭載される。また、駆動回路基板２２と制御回路基板２０の間には金属ベース板１１が配置され、金属ベース板１１は両基板２２，２０に搭載される回路群の電磁シールドの機能を奏すると共に駆動回路基板２２と制御回路基板２０とが発生する熱を逃がし、冷却する作用を有している。このように筐体１９の中央部に冷却水流路１９を設け、その一方の側に車両駆動用のパワーモジュール３００を配置し、また他方の側に補機用のパワーモジュール４３を配置することで、少ない空間で効率良く冷却でき、電力変換装置全体の小型化が可能となる。また筐体中央部の冷却水流路１９の主構造を筐体１２と一体にアルミ材の鋳造で作ることにより、冷却水流路１９は冷却効果に加え機械的強度を強くする効果がある。またアルミ鋳造で作ることで筐体１２と冷却水流路１９とが一体構造となり、熱伝導が良くなり冷却効率が向上する。
【００４７】
駆動回路基板２２には、金属ベース板１１を通り抜けて、制御回路基板２０の回路群との接続を行う基板間コネクタ２３が設けられている。また、制御回路基板２０には外部との電気的接続を行うコネクタ２１が設けられている。コネクタ２１により電力変換装置の外の、例えばバッテリ１３６として車に搭載されているリチウム電池モジュールとの信号の伝送が行われ、リチウム電池モジュールから電池の状態を表す信号やリチウム電池の充電状態などの信号が送られてくる。前記制御回路基板２０に保持されている制御回路１７２との信号の授受を行うために前記基板間コネクタ２３が設けられており、図示を省略しているが図２に示す信号線１７６が設けられ、この信号線１７６と基板間コネクタ２３を介して制御回路基板２０からインバータ回路のスイッチングタイミングの信号が駆動回路基板２２に伝達され、駆動回路基板２２で駆動信号であるゲート駆動信号を発生し、パワーモジュールのゲート電極にそれぞれ印加される。
【００４８】
筐体１２の上部と下部には開口が形成され、これら開口はそれぞれ上部ケース１０と下部ケース１６が例えばネジ等で筐体１２に固定されることにより塞がれる。筐体１２の中央に冷却水流路１９が設けられ、前記冷却水流路１９にパワーモジュール３００やカバー４２０を固定する。このようにして冷却水流路１９を完成させ、水路の水漏れ試験を行う。水漏れ試験に合格した場合に、次に前記筐体１２の上部と下部の開口から基板やコンデンサモジュール５００を取り付ける作業を行うことができる。このように中央に冷却水流路１９配置し、次に前記筐体１２の上部と下部の開口から必要な部品を固定する作業が行える構造をためしており、生産性が向上する。また冷却水流路１９を最初に完成させ、水漏れ試験の後その他の部品を取り付けることが可能となり、生産性と信頼性の両方が向上する。
【００４９】
図５は冷却水流路１９を有する筐体１２のアルミ鋳造品に冷却水入口配管と出口配管を取り付けた図であり、図５（Ａ）は筐体１２の斜視図、図５（Ｂ）は筐体１２の上面図、図５（Ｃ）は筐体１２の下面図である。図５に示す如く筐体１２と前記筐体１２の内部に設けられた冷却水流路１９が一体に鋳造されている。筐体１２の上面あるいは下面は略長方形の形状をためし、長方形の短辺の一方側筐体側面に冷却水を取り入れるための冷却水入口配管１３が設けられ、同じ側面に冷却水入口配管１４が設けられている。
【００５０】
前記冷却水入口配管１３から冷却水流路１９に流入した冷却水は、矢印４１８の方向である長方形の長辺に沿って流れ、長方形の短辺の他方側の側面の手前近傍で矢印４２１ａ及び４２１ｂのように折り返し、再び長方形の長辺に沿って矢印４２２の方向に流れ、不図示の出口孔から流出する。冷却水流路１９の行き側と帰り側にそれぞれ２個ずつの開口４００と４０２とが形成されている。前記開口にはパワーモジュール３００がそれぞれ固定され、各パワーモジュール３００の放熱のためのフィンがそれぞれの開口から冷却水の流れの中に突出する構造となっている。前記筐体１２の流れの方向すなわち長辺の沿った方向にパワーモジュール３００が並べて固定され、この固定により前記各パワーモジュール３００により冷却水流路１９の開口を例えばＯリング８００などで完全に塞ぐことができるように、支持部４１０が筐体と一体成形されている。この支持部４１０は、筐体１２の略中央に位置し、支持部４１０に対して冷却水の出入り口側の方に１つのパワーモジュール３００が固定され、また前記支持部４１０に対して冷却水の折り返し側の方に他の１つのパワーモジュール３００が固定される。図５（Ｂ）に示す螺子穴４１２は前記出入り口側のパワーモジュール３００を冷却水流路１９に固定するために用いられ、この固定により開口４００が密閉される。また螺子穴４１４は前記折り返し側のパワーモジュール３００を冷却水流路１９に固定するために用いられ、この固定により開口４０２が密閉される。このように冷却水流路１９の行き側と帰り側両方を跨ぐようにパワーモジュール３００を配置することで、インバータ回路１４４を金属ベース３０４の上に高密度で集積できるため、パワーモジュール３００の小型化が可能となり電力変換装置２００の小型化にも大きく寄与する。
【００５１】
前記出入り口側のパワーモジュール３００は冷却水入口配管１３からの冷たい冷却水と、出口側に近く発熱部品からの熱によって暖められた冷却水とにより冷やされることとなる。一方、前記折り返し側のパワーモジュール３００は、少し温められた冷却水及び、出口孔４０３近くの冷却水よりは少し冷えた状態の冷却水によって冷却される。結果として折り返し冷却通路と２つのパワーモジュール３００の配置関係は、２つのパワーモジュール３００の冷却効率が均衡した状態となるメリットがある。
【００５２】
前記支持部４１０はパワーモジュール３００の固定のために使用され、開口４００や４０２の密閉のために必要である。さらに前記支持部４１０は筐体１２の強度の強化に大きな効果がある。冷却水流路１９は上述の通り折り返し形状であり、行き側流路と帰り側流路を隔てる隔壁４０８が設けられ、この隔壁４０８が前記支持部４１０と一体に作られている。隔壁４０８は単に行き側流路と帰り側流路を隔てる作用の他に、筐体の機械的な強度を高める作用をしている。また折り返し通路間の熱の伝達通路としての作用を為し、冷却水の温度を均一化する作用を為す。冷却水の入口側と出口側との温度差が大きいと冷却効率のムラが大きくなる。ある程度の温度差は仕方ないが、この隔壁４０８が前記支持部４１０と一体に作られていることで冷却水の温度差を抑える効果が有る。
【００５３】
図５（Ｃ）は前記冷却水流路１９の裏面を示しており、前記支持部４１０に対応した裏面に開口４０４が形成されている。この開口４０４は、筐体の鋳造により形成する前記支持部４１０と筐体１２一体構造の歩留まりを向上するためのものである。開口４０４の形成により、鋳造品では、前記支持部４１０と冷却水流路１９の底部との二重構造が無くなり、鋳造し易く、生産性が向上する。
【００５４】
また、前記冷却水流路１９の側部には貫通穴４０６が形成される。前記冷却水流路１９を挟んで両側に設置される電気部品（パワーモジュール３００及びコンデンサモジュール５００）同士を、この貫通穴４０６を介して接続される。
【００５５】
また、筐体１２は、冷却水流路１９と筐体１２との一体構造として製造できるので、鋳造生産特にアルミダイキャスト生産に適している。
【００５６】
冷却水流路１９の上面開口にパワーモジュール３００を固定し、さらに裏面開口にカバー４２０を固定した状態を図６に示す。筐体１２の長方形の一方の長辺側において、筐体１２の外に交流電力線１８６および交流コネクタ１８８が突出している。
【００５７】
図６において、筐体１２の長方形の他方の長辺側内部に前記貫通孔４０６が形成されており、前記貫通孔４０６を通してパワーモジュール３００と接続される積層導体板７００の一部が見えている。補機用インバータ装置４３は、直流正極側接続端子部５１２が接続された筐体１２の側面の近傍に配置される。また、この補機用インバータ装置４３の下方（冷却水流路１９がある側とは反対側）にコンデンサモジュール５００が配置される。補機用正極端子４４と補機用負極端子４５は、下方（コンデンサモジュール５００が配置された方向）に突出し、コンデンサモジュール５００側の補機用正極端子５３２と補機用負極端子５３４にそれぞれ接続される。これにより、コンデンサモジュール５００から補機用インバータ装置４３までの配線距離が短くなるので、コンデンサモジュール５００側の補機用正極端子５３２及び補機用負極端子５３４から金属製の筐体１２を介して制御回路基板２０に侵入するノイズを低減することができる。
【００５８】
また、補機用インバータ装置４３は冷却水流路１９とコンデンサモジュール５００との隙間に配置され、さらに該補機用インバータ装置４３の高さはカバー４２０の高さと同程度となっている。そのため、補機用インバータ装置４３を冷却するとともに電力変換装置２００の高さの増加を抑えることができる。
【００５９】
また図６には冷却水入口配管１３と冷却水出口配管１４が螺子により固定されている。図６の状態で冷却水流路１９の水漏れ検査を実施できる。この検査に合格したものに、上記補機用インバータ装置４３が取り付けられ、さらにコンデンサモジュール５００が取り付けられる。
【００６０】
図７は、電力変換装置２００の断面図（図６のＡ−Ａ断面基準）であり、基本的な構造は図３から図６に基づいて、既に説明したとおりである。
【００６１】
筐体１２の断面における上下方向の中央部には筐体１２と一体にアルミダイキャストで作られた冷却水流路１９（図７の点線部）が設けられ、冷却水流路１９の上面側に形成された開口にパワーモジュール３００（図７の一点鎖線部）が設置されている。図７の紙面に対して左側が冷却水の行き側の往路１９ａであり、紙面に対して右側が水路の折り返し側の復路１９ｂである。往路１９ａおよび復路１９ｂは、上述のとおりそれぞれ開口が設けられ、前記開口は、パワーモジュール３００の放熱のための金属ベース３０４により往路１９ａおよび復路１９ｂの両方に跨るように塞がれ、前記金属ベース３０４に設けられた放熱のためのフィン３０５が冷却水の流れのなかに前記開口から突出する。また、冷却水流路１９の下面側には補機用のインバータ装置４３が固定されている。
【００６２】
略中央が屈曲した板状の交流電力線１８６は、その一端がパワーモジュール３００の交流端子１５９と接続され、その他端が、電力変換装置２００内部から突出して交流コネクタを形成している。正極側コンデンサ端子５０４及び負極側コンデンサ端子５０６は、貫通孔４０６（図７の２点鎖線部）を介して、正極側導体板７０２及び負極側導体板７０４にそれぞれ電気的及び機械的に接続される。筐体１２の略中央を長方形の長辺方向に往復する冷却水流路１９が配置され、前記冷却水の流れ方向と略垂直の方向に、交流コネクタ１８８と正極側コンデンサ端子５０４及び負極側コンデンサ端子５０６が配置される。そのため電気配線が整然と配置され、電力変換装置２００の小型化に繋がっている。積層導体板７００の正極側導体板７０２及び負極側導体板７０４、さらに交流側電力線１８６がパワーモジュール３００の外に突出して接続端子を形成しているため構造がたいへん簡単で、また他の接続導体が使用されていないため小型化になっている。この構造により生産性が向上し、信頼性も向上する。
【００６３】
さらに前記貫通孔４０６は前記冷却水流路１９とは筐体１２内部の枠体で隔絶しており、かつ正極側導体板７０２及び負極側導体板７０４と正極側コンデンサ端子５０６及び負極側コンデンサ端子５０４との接続部が該貫通孔４０６内に存在するため、信頼性が向上する。
【００６４】
発熱量の大きいパワーモジュール３００を冷却水流路１９の一方の面に固定すると共にパワーモジュール３００のフィン３０５が冷却水流路１９の開口から水路内に突出するようにして効率良く冷却し、次に放熱量の大きい補機用インバータ装置４３を冷却水流路１９の他方の面で冷却し、さらに次に発熱量が大きいコンデンサモジュール５００を筐体１２および下部ケース１６を介して冷却する構造としている。このように放熱量の多さにあわせた冷却構造としているので、冷却効率や信頼性が向上すると共に、電力変換装置２００をより小型化することができる。
【００６５】
さらに補機用インバータ装置４３を冷却水流路１９のコンデンサモジュール５００側面に固定しているので、補機用インバータ装置４３の平滑用コンデンサとしてコンデンサモジュール５００を使用でき、この場合配線距離が短くなる効果がある。また配線距離が短いことからインダクタンスを小さくできる効果がある。
【００６６】
パワーモジュール３００の上方には、ドライバ回路１７４を実装した駆動回路基板２２が配置され、さらに駆動回路基板２２の上方には放熱および電磁シールドの効果を高める金属ベース板１１を介在させて制御回路基板２０が配置されている。なお制御回路基板２０には図２に示した制御回路１７２が搭載されている。上部ケース１０を筐体１２に固定することによって、本実施形態に係る電力変換装置２００が構成される。
【００６７】
上述のように、制御回路基板２０とパワーモジュール３００との間に駆動回路基板２２を配置しているので、制御回路基板２０からインバータ回路の動作タイミングが駆動回路基板２２に伝えられ、それに基づいて駆動回路基板２２でゲート信号が作られ、パワーモジュール３００のゲートにそれぞれ印加される。このように電気的な接続関係に沿って制御回路基板２０や駆動回路基板２２を配置しているので、電気配線が簡素化でき、電力変換装置２００の小型化に繋がる。また、駆動回路基板２２は、制御回路基板２０に対して、パワーモジュール３００やコンデンサモジュール５００よりも近い距離に配置される。そのため駆動回路基板２２から駆動回路基板２０までの配線距離は、他の部品（パワーモジュール３００等）と制御回路基板２０との配線距離よりも短くなる。よって直流正極側接続端子部５１２から伝わる電磁ノイズやＩＧＢＴ３２８，３３０のスイッチング動作による電磁ノイズが、駆動回路基板２２から駆動回路基板２０までの配線に侵入することを抑えることができる。
【００６８】
冷却水流路１９の一方の面にパワーモジュール３００を固定し、他方の面に補機用インバータ装置４３を固定することで、冷却水流路１９でパワーモジュール３００と補機用インバータ装置４３を同時に冷却する。この場合、パワーモジュール３００は放熱のためのフィンが冷却水流路１９の冷却水と直接、接するのでより冷却効果が大きい。さらに冷却水流路１９で筐体１２を冷却し、筐体１２に下部ケース１６や金属ベース板１１を固定することで下部ケース１６や金属ベース板１１を介して冷却する。下部ケース１６にはコンデンサモジュール５００の金属ケースが固定されるので下部ケース１６と筐体１２を介してコンデンサモジュール５００が冷却される。さらに金属ベース板１１を介して制御回路基板２０や駆動回路基板２２を冷却する。さらに、下部ケース１６も熱伝導性の良い材料でできていて、コンデンサモジュール５００からの発熱を受け、筐体１９に熱を伝導し、冷却水流路１９の冷却水で放熱される。また、冷却水流路１９の下部カバー１５側である他方の側には、車内用エアコン，オイルポンプ，他用途のポンプ用として用いる、比較的小容量の補機用インバータ装置４３を設置する。この補機用インバータ装置４３からの発熱は、前記筐体１２の中間枠体を通して冷却水流路１９の冷却水で放熱される。このように中央に冷却水流路１９を設け、一方に金属ベース板１１を設け、他方に下部ケース１６を設けることで、電力変換装置２００を構成するのに必要な部品を発熱量に応じ、効率良く冷却することができる。また電力変換装置２００の内部に部品が整然と配置されることとなり、小型化が可能となる。
【００６９】
電力変換装置の放熱機能を果たす放熱体は、第１に冷却水流路１９であるが、この他にも金属ベース板１１がその機能を奏している（放熱機能を果たすために金属ベース板１１を設けている）。金属ベース板１１は、電磁シールド機能を果たすとともに、制御回路基板２０や駆動回路基板２２からの熱を受けて、筐体１２に熱を伝導し、冷却水流路１９の冷却水で放熱される。
【００７０】
このように、本実施形態に係る電力変換装置は、放熱体が３層の積層体を形成しており、すなわち、金属ベース板１１，冷却水流路１９，下部ケース１６という積層構造であり、これらの放熱体はそれぞれの発熱体（パワーモジュール３００，制御回路基板２０，駆動回路基板２２，コンデンサモジュール５００）に隣接して階層的に設置される。階層構造の中央部には、主たる放熱体である冷却水流路１９が存在し、金属ベース板１１と下部ケース１６は筐体１２を通して冷却水流路１９の冷却水に熱を伝える構造となっている。筐体１２内に３つの放熱体（冷却水流路１９，金属ベース板１１，下部ケース１６）が収容されて、放熱性を向上させるとともに薄型化，小型化に寄与している。
【００７１】
また、本実施形態に係るコンデンサ素子５１４は、集積効率を向上させるために、円柱状の素子の側面を両端から潰し、その断面が楕円状になるように構成される。本実施形態では、断面の楕円形状における長径側を形成する円柱側面を、コンデンサケース５０２の底部に対向して配置する。これにより、コンデンサ素子５１４とコンデンサケース５０２との接触面積が増大し、コンデンサ素子５１４を効率よく冷却することができるとともに、電力変換装置２００の高さの低減が可能になる。
【００７２】
本実施形態のようにコンデンサモジュール５００が電力変換装置２００の最下部に配置される場合には、コンデンサ素子５１４が発生する熱をコンデンサケース５０２及び下部ケース１６を介して外部に放熱できるため、コンデンサ素子５１４の当該配置は、放熱性向上に特に効果がある。
【００７３】
図８（ａ）は、本実施形態に関するパワーモジュール３００の上方斜視図であり、図８（ｂ）は、当該パワーモジュール３００の上面図である。図９は、本実施形態に関するパワーモジュール３００の直流端子の分解斜視図である。図１０は、直流バスバーの構造を分かりやすくするため、パワーモジュールケース３０２を一部透明にした断面図である。図９（ａ）は、パワーモジュール３００の構成部品である金属ベース３０４及び３つの上下アーム直列回路のうち１つ、を抜き出した図である。図９（ｂ）は、金属ベース３０４、回路配線パターン及び絶縁基板３３４の分解斜視図である。
【００７４】
３０２はパワーモジュールケース、３０４は金属ベース、３０５はフィン（図１０参照）、３１４は直流正極端子、３１６は直流負極端子、３１８は絶縁紙（図９参照）、３２０Ｕ／３２０Ｌはパワーモジュールの制御端子、３２８は上アーム用のＩＧＢＴ、３３０は下アーム用のＩＧＢＴ、１５６／１６６はダイオード、３３４は絶縁基板（図１０参照）、３３４ｋは絶縁基板３３４上の回路配線パターン（図１０参照）、３３４ｒは絶縁基板３３４下の回路配線パターン３３７（図１０参照）、をそれぞれ表す。
【００７５】
パワーモジュール３００は、大きく分けて、例えば樹脂材料のパワーモジュールケース３０２内の配線を含めた半導体モジュール部と、金属材料例えばＣｕ，Ａｌ，ＡｌＳｉＣなどからなる金属ベース３０４と、外部との接続端子（直流正極端子３１４や制御端子３２０Ｕ等）と、から構成される。そして外部と接続する端子として、パワーモジュール３００は、モータと接続するためのＵ，Ｖ，Ｗ相の交流端子１５９と、コンデンサモジュール５００と接続する直流正極端子３１４及び直流負極端子３１６とを有している。
【００７６】
また、前記半導体モジュール部は、絶縁基板３３４の上に上下アームのＩＧＢＴ３２８，３３０，ダイオード１５６／１６６等が設けられて、レジン又はシリコンゲル（不図示）によって保護されている。絶縁基板３３４はセラミック基板であっても良いし、さらに薄い絶縁シートであってもよい。
【００７７】
図８（ｂ）は、金属ベース３０４に固着された熱伝導性の良いセラミックからなる絶縁基板３３４の上に、上下アーム直列回路が具体的にどのような配置で設置されているかを示す配置構成図とその機能を示す説明図である。図８（ｂ）に示すＩＧＢＴ３２８，３３０とダイオード３２７、３３２はそれぞれ２つのチップを並列接続して上アーム，下アームを構成し、上下アームに通電可能な電流容量を増やしている。
【００７８】
図９に示すように、パワーモジュール３００に内蔵された直流端子３１３は、絶縁紙３１８を挟んで、直流負極端子３１６，直流正極端子３１４の積層構造を為す（図９の点線部）。また、直流負極端子３１６，直流正極端子３１４の端部を互いに反対方向に屈曲させ、積層導体板７００とパワーモジュール３００とを電気的に接続するための負極接続部３１６ａ及び正極接続部３１４ａを形成する。積層導体板７００との接続部３１４ａ（又は、３１６ａ）が２つ設けられることにより、負極接続部３１６ａ及び正極接続部３１４ａから３つの上下アーム直列回路までの平均距離をほぼ等しくなるので、パワーモジュール３００内の寄生インダクタンスのバラツキを低減することができる。
【００７９】
また、直流正極端子３１４，絶縁紙３１８，直流負極端子３１６を積層して組み立てたときに、負極接続部３１６ａと正極接続部３１４ａが互いに反対方向に屈曲した構造を為す。絶縁紙３１８は、負極接続部３１６ａに沿って曲げ、正極，負極の端子の絶縁沿面距離を確保する。絶縁紙３１８は、耐熱が必要なときは、ポリイミドやメタ系アラミド繊維，トラッキング性を高めたポリエステルなどを複合したシートを用いる。また、ピンフォールなどの欠陥を考慮して、信頼性を高めるときは２枚重ねする。また、破れたり、裂けたりすることを防ぐために、コーナ部にアールを設けたり、端子のエッジが絶縁紙に触れないよう、打ち抜き時のダレ面を絶縁紙に面する方向にする。本実施例では、絶縁物として絶縁紙を用いたが、他の例として、端子に絶縁物をコーティングしてもよい。寄生インダクタンスを低減するため、例えば、６００Ｖ耐圧のパワーモジュールのときは、正極，負極間の距離を０.５mm以下とし、絶縁紙の厚さは、その半分以下とする。
【００８０】
また、直流正極端子３１４及び直流負極端子３１６は、回路配線パターン３３４Ｋと接続するための接続端３１４Ｋ，３１６Ｋを有する。それぞれの接続端３１４Ｋ，３１６Ｋは、各相（Ｕ，Ｖ，Ｗ相）に対して２つ存在する。これにより、後述するように、各相のアーム毎に２つの小ループ電流経路を形成した回路配線パターンと接続することができる。また、各接続端３１４Ｋ，３１６Ｋは、回路配線パターン３３４Ｋの方向に向かって突出し、かつ回路配線パターン３３４Ｋとの接合面を形成するために、その先端部が屈曲している。接続端３１４Ｋ，３１６Ｋと回路配線パターン３３４Ｋは、はんだなどを介して接続されるか、もしくは直接金属どうしを超音波溶接により接続される。
【００８１】
パワーモジュール３００、特に金属ベース３０４は、温度サイクルによって膨張及び収縮する。この膨張及び収縮によって、接続端３１４Ｋ，３１６Ｋと回路配線パターン３３４Ｋの接続部は、亀裂又は破断するおそれが生じる。そこで、本実施形態に係るパワーモジュール３００では、図９に示すように、直流正極端子３１４と直流負極端子３１６が積層されることにより形成される積層平面部３１９が、絶縁基板３３４を搭載した側の金属ベース３０４の平面に対して、略平行となるように構成されている、これにより、積層平面部３１９は、前述の膨張及び収縮により発生する金属ベース３０４の反り返りに対応した反り返り動作が可能となる。そのため、積層平面部３１９に一体に形成された接続端３１４Ｋ，３１６Ｋの剛性は、金属ベース３０４の反り返りに対して、小さくすることができる。したがって、接続端３１４Ｋ，３１６Ｋと回路配線パターン３３４Ｋとの接合面の垂直方向に加わる応力を緩和することができ、この接合面の亀裂又は破断を防止することができる。
【００８２】
なお、本実施形態に係る積層平面部３１９は、金属ベース３０４の幅方向及び奥行き方向の両方の反り返りに対応して反り返り動作が可能となるように、積層平面部３１９の幅方向の長さを１３０mm、奥行き方向の長さを１０mmとして、奥行き方向の長さを大きめにしている。また、直流正極端子３１４と直流負極端子３１６のそれぞれの積層平面部３１９の厚さは、反り返り動作をしやすいように１mmと比較的薄く設定されている。
【００８３】
図１０に示されるように、金属ベース３０４は、冷却水流路に浸されて冷却水へ効率良く放熱するために、絶縁基板３３４の反対側にフィンの形状３０５を有している。また、金属ベース３０４は、その一方の面にインバータ回路を構成するＩＧＢＴやダイオードを実装し、該金属ベース３０４の外周に樹脂製のパワーモジュールケース３０２を備える。金属ベース３０４の他方の面にフィン３０５がロウ付け又は、金属ベース３０４とフィン３０５が鍛造により一体成型される。金属ベース３０４とフィン３０５が鍛造により一体成型されることによって、パワーモジュール３００の生産性が向上するとともに、金属ベース３０４からフィン３０５までの熱伝導率を向上させ、ＩＧＢＴ及びダイオードの放熱性を向上させることができる。また、金属ベース３０４のビッカース硬度を６０以上とすることで、温度サイクルによって生ずる金属ベース３０４のラチェット変形を抑制し、金属ベース３０４と筐体１２とのシール性を向上させることができる。さらに、図１０（ａ）に示す如く上下アームにそれぞれ対応してフィン３０５が設けられており、これらのフィン３０５は往復する冷却水流路１９の開口から水路内に突出する。金属ベース３０４のフィン３０５周辺の金属面は前記冷却水流路１９に設けられた開口を閉じるために使用される。
【００８４】
なお、本実施形態のフィン３０５形状はピン型であるが、他の実施形態として、冷却水の流れ方向に沿って形成されたストレート型であってもよい。フィン３０５形状にストレート型を用いた場合には、冷却水を流すための圧力を低減させることができ、一方ピン型を用いた場合には冷却効率を向上させることができる。
【００８５】
金属ベース３０４の一方の面には、絶縁基板３３４が固定され、絶縁基板３３４にはんだ３３７より、その上に上アーム用のＩＧＢＴ３２８や上アーム用のダイオード１５６さらに下アーム用のＩＧＢＴ３３０や下アーム用のダイオード１６６のチップが固定される。
【００８６】
図１１（ａ）に示すように、上下アーム直列回路１５０は、上アーム回路１５１，下アーム回路１５２、これら上下アーム回路１５１，１５２を結線するための端子３７０、及び交流電力を出力するための交流端子１５９を備える。また、図１１（ｂ）に示すように、上アーム回路１５１は、金属ベース３０４の上に、回路配線パターンを形成した絶縁基板３３４、さらに、この回路配線パターン３３４ｋの上にＩＧＢＴ３２８，ダイオード１５６を備える。
【００８７】
ＩＧＢＴ３２８及びダイオード１５６は、その裏面側の電極と、回路配線パターン３３４ｋとが、はんだにより接合される。回路配線パターンを形成した絶縁基板３３４は、回路配線パターン面と反対面（裏面）が、パターンの無い、いわゆるベタパターンを形成している。この絶縁基板の裏面のベタパターンと、金属ベース３０４とが、はんだで接合される。下アーム回路１５２も上アームと同様に、金属ベース３０４の上に配置された絶縁基板３３４と、この絶縁基板３３４の上に配線された回路配線パターン３３４ｋと、この回路配線パターン３３４ｋの上に実装されたＩＧＢＴ３３０，ダイオード１６６を備える。
【００８８】
また、ＩＧＢＴ３３０及びダイオード１６６の裏面側の電極も、回路配線パターン３３４ｋとはんだで接合される。なお、本実施形態における各相の各アームは、ＩＧＢＴ３２８とダイオード１５６を並列接続した回路部を一組として、この回路部を２組並列に接続して構成される。この回路を何組並列に接続するかは、モータ１９２に通電される電流量によって決定され、本実施形態に係るモータ１９２に通電される電流よりも大電流が必要な場合には、回路部を３組、もしくはそれ以上を並列接続して構成される。逆に、モータを小さい電流で駆動することができる場合には、各相の各アームは、回路部を一組のみで構成される。
【００８９】
図１１（ｂ）を用いてパワーモジュール３００の電流経路を説明する。パワーモジュール３００の上アーム回路に流れる電流の経路を以下に示す。
（１）不図示の直流正極端子３１４から接続導体部３７１Ｕ、（２）接続導体部３７１Ｕから素子側接続導体部３７２Ｕを介して上アーム用ＩＧＢＴ３２８及び上アーム用ダイオード１５６の一方側電極（素子側接続導体部３７２Ｕと接続された側の電極）、（３）上アーム用ＩＧＢＴ３２８及び上アーム用ダイオード１５６の他方側電極からワイヤ３３６を介して接続導体部３７３Ｕ、（４）接続導体部３７３Ｕから結線端子３７０の接続部３７４Ｕ，３７４Ｄを介して接続導体部３７１Ｄを流れる。なお、前述のように上アームは、ＩＧＢＴ３２８とダイオード１５６を並列接続した回路部を２組並列に接続して構成される。よって、上記（２）の電流経路において、電流は、素子側接続導体部３７２Ｕにて２つに分岐され、該分岐された電流は２組の回路部へそれぞれ流れる。
【００９０】
また、パワーモジュール３００の下アーム回路に流れる電流経路を以下に示す。
（１）接続導体部３７１Ｄから素子側接続導体部３７２Ｄを介して下アーム用ＩＧＢＴ３３０及び上アーム用ダイオード１６６の一方側電極（素子側接続導体部３７２Ｄと接続された側の電極）、（２）下アーム用ＩＧＢＴ３３０及び下アーム用ダイオード１６６の他方側電極からワイヤ３３６を介して接続導体部３７３Ｄ、（３）接続導体部３７３Ｄから不図示の直流負極端子３１６を流れる。なお、上アームと同様に下アームは、ＩＧＢＴ３３０とダイオード１６６を並列接続した回路部を２組並列に接続して構成されので、上記（１）の電流経路において、電流は、素子側接続導体部３７１Ｄにて２つに分岐され、該分岐された電流は２組の回路部へそれぞれ流れる。
【００９１】
ここで、上アーム回路のＩＧＢＴ３２８（及びダイオード１５６）と不図示の直流正極端子３１４とを接続するための接続導体部３７１Ｕは、絶縁基板３３４の一辺の略中央部付近に配置される。そして、ＩＧＢＴ３２８（及びダイオード１５６）は、接続導体部３７１Ｕが配設された絶縁基板３３４の前記一辺側とは反対側である他辺側の近傍に実装される。また、本実施形態においては、２つ備えられた接続導体部３７３Ｕは、前述の接続導体部３７１Ｕ挟んで、かつ絶縁基板３３４の前記一辺側に一列に配置される。
【００９２】
このような回路パターン及び実装パターン、すなわち、絶縁基板３３４上の回路配線パターンを、概Ｔ字形状の配線パターンと、概Ｔ字の縦棒（３７１Ｕ）の両側に、２つの配線パターン（３７１Ｕ）とし、接続端３７１Ｕ，３７３Ｕから端子を実装することで、ＩＧＢＴ３２８のスイッチング時の過渡的な電流経路は、図１１（ｂ）の矢印３５０（破線）に示すようなＭ字状の電流経路、すなわち２つの小ループ電流経路となる（矢印の方向は下アームターンオン時）。この２つの小ループ電流経路の周辺には、図１１（ｂ）の矢印３５０Ｈ方向（実線）の磁界３５０Ｈが発生する。この磁界３５０Ｈによって、絶縁基板３３４の下方に配置された金属ベース３０４に、誘導電流、いわゆる渦電流３４０が誘導される。この渦電流３４０は、前述の磁界３５０Ｈを打ち消す方向の磁界３４０Ｈを発生させ、上アーム回路で生じる寄生インダクタンスを低減させることができる。
【００９３】
また、上述の２つの小ループ電流は、絶縁基板３３４上に流れる電流どうしが打ち消し合うようなＵターン電流が２つできる。このため、図９（ｂ）の磁界３５０Ｈに示すように、パワーモジュール３００の内部に、より小さいループ磁界ができるため、寄生インダクタンスを低減できる。さらに、スイッチング時に生ずる磁界ループが小さく、パワーモジュール内部に磁界ループを閉じ込めることができるため、パワーモジュールの外の筐体への誘導電流を低減し、制御基板の誤動作や、電力変換装置の外部への電磁ノイズも防止できる。
【００９４】
下アーム回路側も前述の上アームと同様な回路配線パターン及び実装パターンとなる。すなわち、下アーム回路のＩＧＢＴ３３０（及びダイオード１６６）と不図示の直流負極端子３１６とを接続するための接続導体部３７１Ｄは、絶縁基板３３４の一辺の略中央部付近に配置される。そして、ＩＧＢＴ３３０（及びダイオード１６６）は、接続導体部３７１Ｄが配設された絶縁基板３３４の一辺側とは反対の他辺側の近傍に実装される。また、本実施形態においては、２つ備えられた接続導体部３７３Ｄは、前述の接続導体部３７１Ｄ挟んで、かつ絶縁基板３３４の一辺側に一列に配置される。
【００９５】
このような回路配線パターン及び実装パターンとすることにより、下アーム回路側においても、前述の寄生インダクタンスを低減させる効果を奏する。なお、本実施形態において、各相の各アームの電流経路の入口は、例えば２つの接続導体部３７３Ｕに挟まれた接続導体部３７１Ｕとなり、一方電流経路の出口は、前記２つの接続導体部３７３Ｕとなっている。しかし、これら入口と出口が逆となっても、各相の各アームにおいて前述の小ループ電流経路が形成される。そのため、前述と同様に、各相の各アームの寄生インダクタンス低減及び電磁ノイズ防止を図ることができる。
【００９６】
本実施形態のコンデンサモジュール５００の詳細構造について、図１２及び図１３を参照しながら以下説明する。図１２は、本実施形態に関するコンデンサモジュール５００の外観構成を示す斜視図である。図１３は、図１２に示すコンデンサモジュール５００の内部が分かるように、樹脂などの充填材５２２を充填する前の状態を示す斜視図である。
【００９７】
図１２及び図１３において、５００はコンデンサモジュール、５０２はコンデンサケース、５０４は負極側コンデンサ端子、５０６は正極側コンデンサ端子、５１０は直流負極側接続端子部、５１２は直流正極側接続端子部、５１４はコンデンサ素子、をそれぞれ表す。
【００９８】
図１２に示されるように、本実施形態に係るコンデンサモジュール５００は、筐体１２の下部に配置され、かつ下部ケース１６の上部に搭載される。コンデンサケース５０２は、四隅をボルト５５９Ａ〜５５９Ｄにより、下部ケース１６に固定されている。これらコンデンサケース５０２と下部ケース１６は、図示しない放熱性グリースを介して接触している。これにより、コンデンサ素子５１４の発熱をコンデンサケース５０２及び放熱性グリースを介して、金属製の下部ケース１６へ逃がすことができる。また、放熱性グリースの接着力により、車両の振動がコンデンサケース５０２に伝わることを抑えることができる。
【００９９】
ボルト孔５４９は、下部ケース１６を筐体１２に固定するためのボルトを貫通させるための孔である。ボルト孔５４８Ａ〜５４８Ｃは、電力変換装置２００を車体側に固定するためのボルトを貫通させるための孔である。
【０１００】
一つの正極端子立ち上げ部５２６と一つの負極端子立ち上げ部５２４が一組となって、４組の積層バスバーが、コンデンサモジュール５００の長手方向の辺側に沿って形成されている。これら立ち上げの先端は、互いに開く方向に折れ曲がり、正極側コンデンサ端子５０６Ａ〜５０６Ｄ、及び負極側コンデンサ端子５０４Ａ〜５０４Ｄを形成する。また、絶縁カバー５４０Ａ〜５４０Ｄは、４組の積層バスバーのそれぞれに介装され、端子と立ち上げ部の正負極間の沿面距離を確保する。
【０１０１】
図１３（ａ）に示されるように、負極導体板５０５と正極導体板５０７とからなる積層導体板が複数組、本実施形態では４組、直流（バッテリ）負極側接続端子部５１０と直流（バッテリ）正極側接続端子部５１２に対して電気的に並列に接続されている。前記負極導体板５０５と正極導体板５０７には、複数個のコンデンサ素子５１４の正極と負極がそれぞれ並列接続されるための端子５１６と端子５１８が複数個設けられている。
【０１０２】
図１３（ｂ）に示される、コンデンサモジュール５００の蓄電部の単位構造体であるコンデンサ素子５１４は、片面にアルミなどの金属を蒸着したフィルムを２枚積層し巻回して、２枚の金属の各々を正極，負極としたフィルムコンデンサ５１５で構成する。正極，負極の電極は、巻回した軸面がそれぞれ、正極，負極の電極５０８となり、スズなどの導電体を吹き付けて製造される。
【０１０３】
また、負極導体板５０５と正極導体板５０７は、薄板状の幅広導体で構成し、図示しない絶縁紙を介して積層構造をとり、寄生インダクタンスを低減する。積層導体の端部には、コンデンサ素子５１４の電極５０８と接続するための端子５１６，５１８が設けられる。端子５１６，５１８は、２個のコンデンサ素子５１４の電極５０８と、半田あるいは溶接により電気接続する。半田装置もしくは溶接機による作業がしやすく、検査しやすいように、接続面が外側になるコンデンサセル配置，導体構造をとり、添付のような２個のコンデンサセルを１つのコンデンサセル群とする単位を構成する。このようなセル群をつくることで、コンデンサ容量に応じて増減でき、量産に適する。寄生インダクタンスを低減するため、また、放熱のためにも、端子５１６，５１８を複数設けてもよい。
【０１０４】
また、負極導体板５０５と正極導体板５０７は、その薄板状の幅広導体の端部を屈曲し、直流側導体板７００と接続するための負極側コンデンサ端子５０４，正極側コンデンサ端子５０６を構成する（図１２参照）。また、負極導体板５０５と正極導体板５０７は、その薄板状の幅広導体の端部を屈曲し、コンデンサモジュール内の配線バスバー５８５，５８６にそれぞれ接続される。配線バスバー５８５，５８６の端部には、バッテリ電力を受電する端子に接続する直流負極側接続端子部５１０，直流正極側接続端子部５１２が形成されている。
【０１０５】
図１３に示すように、コンデンサモジュール５００は、２個の素子群が４列縦に配置して合計８個のコンデンサセル５１４で構成する。コンデンサモジュール５００の外部との接続端子は、直流側導体板７００と接続する正負コンデンサ端子５０４，５０６は４対、バッテリ電力を受電する直流負極側接続端子部５１０，５１２が存在する。正負コンデンサ端子５０４，５０６には、パワーモジュール３００の直流正負極端子３１６，３１４とねじ固定できるように、ナットを埋め込んだ開口部５０９，５１１が形成される。
【０１０６】
コンデンサモジュール５００は、スイッチング時のリップル電流により、コンデンサ素子内部のフィルム上に蒸着された金属薄膜，内部導体（端子）の電気抵抗により発熱する。コンデンサ素子の耐湿のため、コンデンサセル，内部導体（端子）は、コンデンサケース５０２に樹脂でモールドする（図１２参照）。このため、コンデンサ素子や内部導体は、樹脂を介してコンデンサケース５０２と密着した状態となり、コンデンサセルの発熱がケースに伝わりやすい構造になる。さらに本構造では、負極導体板５０５，正極導体板５０７とコンデンサ素子の電極５０８と端子５１６，５１８を直接接続するため、コンデンサセルの発熱が負極，正極導体に直接伝わり、幅広導体によりモールド樹脂へ熱が伝わりやすい構造となる。このため、コンデンサケース５０２から下部ケース１６、下部ケース１６から筐体１２さらに冷却水流路１９へ熱が良好に伝わり、放熱性を確保できる。
【０１０７】
本実施形態においては図１３に示すように負極導体板５０５及び正極導体板５０７は、４列縦に独立して配置された構成をためすが、これら４列の負極導体５０５及び正極導体５０７を一体の幅広導体板として、全てのコンデンサセル５１４をこの幅広導体板に接続する構成としてもよい。これにより、部品点数を削減することができ、生産性を向上させることができるとともに、全てのコンデンサセル５１４の静電容量を略均等に使用することができ、コンデンサモジュール５００全体の部品寿命を伸ばすことができる。さらに、幅広導体板を使用することで、寄生インダクタンスを低減することができる。
【０１０８】
図１４は、ノイズフィルタ用のコンデンサ５５６，５５７及び放電抵抗５３０の接続状態を模式的に示した図である。
【０１０９】
電力変換装置２００の主回路の主要部品として、パワーモジュール３００，平滑化のためのコンデンサモジュール５００，コンデンサ５５６，５５７（ノイズ除去用コンデンサモジュール）、及び放電抵抗５３０が挙げられる。これらの部品は、電力変換装置２００内の構成部品の中でもサイズの大きな部類に入り、電力変換装置の小型化をする上での障害になることが多い。また、仮に小型化できたとしても、冷却性能の低下，配線インダクタンス及び混入ノイズを増加等の背反事項が出てくるおそれがある。冷却性能の低下，配線インダクタンス、又は混入ノイズの増加を抑えながら、電力変換装置全体の小型化を図る構成を、以下に説明する。
【０１１０】
図１４及び図１５は、コンデンサモジュール５００がパワーモジュール３００やバッテリ１３６とどのように電気的に結ばれているかを示すものである。また、図１６は、本実施形態のように、２つのパワーモジュールが共通のコンデンサモジュールと接続された形態を説明した図である。前述のように、コンデンサモジュール５００は、平滑化するためのコンデンサ素子５１４に加えて、放電抵抗５３０及びコンデンサ５５６，５５７を含んでいる。コンデンサ素子５１４の役割は、直流回路部分に乗るリップル電圧，リップル電流の平滑化して、安定した電力をパワーモジュール３００に供給することである。一方、コンデンサ５５７，５５６はノイズ除去機能を有する。
【０１１１】
これらの機能を最大限に活かした位置にそれぞれの部品を配置し、それらを一体化、つまりモジュール化して小型化を実現している。コンデンサ素子５１４，放電抵抗５３０及びコンデンサ５５６，５５７は、図１５の破線で囲まれた部分に相当する。
【０１１２】
コンデンサ５５７，５５６は、バッテリ１３６と接続される直流側正極及び負極側入力端子部５１２，５１０（第１直流電源端子）に隣接するように配置される。また、コンデンサ５５７，５５６は、直流側入力端子部５１２，５１０（第１直流電源端子）と接続するための端子（第２直流電源端子）を備える。そして、当該端子（第２直流電源端子）と直流側入力端子部５１２，５１０（第１直流電源端子）間の距離が、当該端子（第２直流電源端子）と正負極側コンデンサ端子５０４，５０６間の距離より短くなるように、コンデンサ５５７，５５６が配置される。一方、これらコンデンサ５５６，５５７の一方の端子はグランド端子５５８に接地される。図１２に示されるように、グランド端子５５８は、ボルト５５９Ｂによる筐体１２への固定に際して共締めされる。つまり、コンデンサ５５６，５５７のアース、及びコンデンサモジュール５００の筐体１２への固定が共通化されている。
【０１１３】
上記の構成による作用効果を図１７を用いて説明する。図１７は、コンデンサモジュール５００の概観図に電気的流れを表した図である。バッテリ１３６からの電流は、直流側入力端子部５１２，５１０からコンデンサモジュール５００に入り、平滑用のコンデンサ素子群５１５を通過して正負極コンデンサ端子５０６，５０４を介してパワーモジュール３００に送られる。つまり、平滑化された電力がパワーモジュールへ供給される。
【０１１４】
一方、コンデンサ５５７，５５６及び当該コンデンサ５５７，５５６の端子（第２直流電源端子）が、直流側入力端子部５１２，５１０のすぐ近傍に配置されることで、電源からのノイズを効率よく除去することができる。特に、上記構成により、パワーモジュール３００がスイッチングした時の影響を受けて、コンデンサ５５７，５５６が、リップル平滑用コンデンサの一部として機能してしまい、ノイズ除去機能を果たせなくなることを防止することができる。また、コンデンサ５５７，５５６が、リップル平滑用コンデンサの一部として機能することによるコンデンサ５５７，５５６自体の発熱を抑えることができる。なお、コンデンサ５５７，５５６から延びる配線５５２，５５４は板状導体を用いて、絶縁層を介した積層構造となっており、配線の低インダクタンス化が図られている。
【０１１５】
図１８は、コンデンサ５５７，５５６と直流側入力端子部５１２，５１０と正負極側コンデンサ端子５０４，５０６の位置関係に係る他の実施形態を示す図である。
【０１１６】
図１８の実施形態が図１７の実施形態と異なる点は、直流側入力端子部５１２，５１０がコンデンサ素子群５１５を挟んで、正負極側コンデンサ端子５０４，５０６とは反対側に配置されている点である。また、コンデンサ５５７，５５６及び当該コンデンサ５５７，５５６の端子（第２直流電源端子）は、図１７の実施形態と同様に直流側入力端子部５１２，５１０のすぐ近傍に配置される。具体的には、コンデンサ５５７，５５６は、直流側入力端子部５１２，５１０（第１直流電源端子）と接続するための端子（第２直流電源端子）を備え、当該端子（第２直流電源端子）と直流側入力端子部５１２，５１０（第１直流電源端子）間の距離が、当該端子（第２直流電源端子）と正負極側コンデンサ端子５０４，５０６間の距離より短くなるように、コンデンサ５５７，５５６が配置される。
【０１１７】
このような構成により、コンデンサ５５７，５５６は、パワーモジュール３００のスイッチング時の影響をさらに受けにくくなり、コンデンサ５５７，５５６の容量の多くをノイズ除去用として利用することができ、電力変換装置に混入するノイズの影響を低減することができる。
【０１１８】
以下、本実施形態に係る放電抵抗５３０の配置について説明する。
【０１１９】
図１２及び図１４に示されるように、コンデンサケース５０２の外壁の側部には、放電抵抗５３０が配置されている。本実施形態では、放電抵抗５３０はコンデンサモジュール５００の側部に配置されているが、コンデンサモジュール内部に熱的な影響を与えない場所であれば、他の場所でも構わない。例えば、充填材５２２の露出面の上方に、数ミリメートル程度浮かせた状態で放電抵抗５３０を搭載してもよい。このように配置すれば、コンデンサ素子５１４の搭載領域を減らすことがなく、電力変換装置の幅方向の小型化が図れる。
【０１２０】
本実施形態における、放電抵抗５３０とコンデンサモジュール５００の位置関係は、図１２に示されるようになる。放電抵抗５３０は、下部ケース１６に固定されている。このとき、固定方法はブラケットなどを用いても構わないし、接着剤等を放電抵抗５３０と下部ケース１６との間に塗布しても構わない。つまり、放電抵抗５３０と下部ケース１６の間に、放電抵抗５３０の発生熱の伝達経路を形成できればよい。
【０１２１】
さらに、放電抵抗５３０をコンデンサモジュール５００の側部に配置した場合、放電抵抗５３０とコンデンサ素子５１４との間の空間には、コンデンサケース５０２の一部、及び充填材５２２の一部が存在する。すなわち、放電抵抗５３０の発生熱は、コンデンサ素子５１４に伝達しずらい構成になるので、放電抵抗５３０の熱を下に放熱しつつ、コンデンサ素子５１４との間で断熱することができる。
【０１２２】
この放電抵抗５００には正極及び負極それぞれ一本ずつのリード５３１，５３２が備わっており、これらはコンデンサ素子５１４と電気的に接続されている。
【０１２３】
本実施形態では図１４に示されるように、放電抵抗５３０は、コンデンサケース５０２において、直流側入力端子部５１２，５１０が形成された側とは反対側に配置される。このような配置により、発熱源である放電抵抗５３０を、コンデンサ素子５１４や直流側入力端子部５１２，５１０から離れているため、電力変換装置２００全体で見た場合に、熱が一極に集中することが無いので、熱バランスを平均化することができる。
【０１２４】
図１９は、コンデンサモジュール５００内部の電気的接続を物理的位置関係で表した図である。この図から、コンデンサ５５７，５５６の端子（第２直流電源端子）と直流側入力端子部５１２，５１０（第１直流電源端子）間の距離が、当該端子（第２直流電源端子）と正負極側コンデンサ端子５０４，５０６間の距離より短くなっているため、パワーモジュール３００のスイッチング時の影響を受けにくくなっていることがわかる。
【０１２５】
また、バッテリ１３６からの電力を受ける直流側入力端子部５１２，５１０からのノイズを除去するコンデンサ５５７，５５６、コンデンサ素子５１４の電荷を放電するための放電抵抗５３０が、一つのモジュールを構成している。このように機能的に密接な関連性を持つ部品をモジュール化することで、各部品の配線距離を低減することができ、低インダクタンス化かつ小型化を図ることができる。
【０１２６】
なお、図２０は、負極導体５０５及び正極導体５０７を一体の幅広導体板として、全てのコンデンサセル５１４をこの幅広導体板に接続する構成とした場合の電気的接続関係を示した図である。このような構成であっても、図１９に示したように各部品のモジュール化がなされ、図１９と同様な作用効果を示す。
【０１２７】
図２１は、図３のＡ断面の模式図である。冷却水流路１９の直下には補機用インバータ装置４３が固定される。コンデンサモジュール５００は、モータ駆動用のパワーモジュール３００に加え、当該コンデンサモジュール５００に電気的に並列接続された補機用インバータ装置４３に対しても、同じ平滑化機能を提供する。
【０１２８】
本実施形態においては、直流側入力端子部５１２，５１０がコンデンサモジュール５００に備えられ、さらにコンデンサモジュール５００の近傍に補機用インバータ装置４３が配置されている。これらの電気的接続を担う部材として、本実施形態では、図２２に示される導電性部材５７０が用いられる。
【０１２９】
当該導電性部材５７０は、図２２に示されるように、負極側導電性部材５７１と、正極側導電性部材５７２と、絶縁紙５８１と、負極側樹脂ブラケット５８２と、正極側樹脂ブラケット５８３と、によって構成される。負極側導電性部材５７１及び正極側導電性部材５７２は、図２２の（Ａ）方向から見ると、＋（プラス）型の形状を為す。また、負極側導電性部材５７１及び正極側導電性部材５７２の縦方向に形成された部材は、同一方向にＬ字型に折り曲げられる。
【０１３０】
負極側導電性部材５７１と正極側導電性部材５７２は、絶縁紙５８１を挟んで積層状態で構成されているので、配線インダクタンスの低減が図られている。また、正極側樹脂ブラケット５８３は、その先端に形成された端子部分を除いた部分を覆うように形成されるので、正極側導電性部材５７２と金属製の筐体１２との電気的接触を防止することができる。
【０１３１】
図２３（ｂ）に示されるように、負極側導電性部材５７１の折り曲げ部材は、負極側直流入力端子５７３及び負極側直流出力端子５７４となる。一方、正極側導電性部材５７２のＬ字型に曲げられた部材は、正極側直流入力端子５７７及び正極側直流出力端子５７８となる。
【０１３２】
正極側直流入力端子５７７及び負極側直流入力端子５７３には、バッテリ１３６から電力が供給される。この電力の一部は、電力変換装置２００内に供給される。一方、残りの電力は電力変換装置２００内に供給されることなく、正極側直流出力端子５７８及び負極側直流出力端子５７４から出力される。該出力された電力は図示しない電線を介して車室内のエアコン用インバータ等の他のインバータに供給される。すなわち、導電性部材５７０は、電力変換装置２００への電力供給の端子としての機能に加えて、バッテリ１３６からエアコン用インバータへの電力供給の中継点の機能を果たす。このような構成により、バッテリ１３６からエアコン用インバータまでの電線を短くすることができ（電力変換装置２００からエアコン用インバータまでの距離）、車室内の電線の配線作業が容易になる。
【０１３３】
負極側導電性部材５７１及び正極側導電性部材５７２の横方向に形成された部材のうち左側の部材は、その先端が下方に延び、かつ補機用インバータ装置４３と接続するための端子を形成する。
【０１３４】
負極側導電性部材５７１及び正極側導電性部材５７２の横方向に形成された部材のうち右側の部材は、その先端が下方に延び、かつ当該下方に伸びた部材が、前記負極側直流入出力端子５７３，５７４及び正極側直流入出力端子５７７，５７８の屈曲方向とは反対側に折り曲げられる。さらに折り曲げられた部材の先端が、鉛直かつ下方方向に折り曲げられ、その端部が直流側入力端子部５１２，５１０と接続される。
【０１３５】
図２１（ａ）に示される電力変換装置の場合は、コンデンサモジュール５００の直流側入力端子部５１２，５１０が鉛直上方に突出しており、かつ補機用インバータ装置４３の端子が鉛直下方に突出している。このような端子に、本実施形態に係る導電性部材５７０を接続しようとすると、端子の高さ分だけ、電力変換装置の高さが増加してしまう。
【０１３６】
そこで、本実施形態に係る電力変換装置は、図２１（ｂ）に示されるように、コンデンサモジュール５００の直流側入力端子部５１２，５１０が、２箇所折り曲げられ、直流側入力端子部５１２，５１０の先端部がコンデンサモジュールケース５０２の側部に位置するように形成される。また、補機用インバータ装置４３の端子も、２箇所折り曲げられ、当該端子の先端部が、補機用インバータ装置４３の側部に位置するように形成される。
【０１３７】
これら直流側入力端子部５１２，５１０と補機用インバータ装置４３の端子が、導電性部材５７０と接続されることにより、補機用インバータ装置４３及びコンデンサモジュール５００の側部に、バッテリ１３６との接続端子を配置することができる。これにより、電力変換装置の高さ方向の増加を抑えることができる。
【０１３８】
なお、直流側入力端子部５１２，５１０は、コンデンサモジュールケース５０２の側壁から直接突出するように形成してもよく、同様に補機用インバータ装置４３の端子は、補機用インバータ装置４３の側壁に直接形成するようにしてもよい。
【０１３９】
図２４は、第１実施形態に係る絶縁カバー５４０の外観斜視図である。絶縁カバー５４０は略長方形である。上部立ち上げ部５４１，側部立ち上げ部５４２，５４３は、絶縁カバー主面５４４の外縁に、かつ当該絶縁カバー主面５４４の鉛直方向に設けられる。絶縁カバー主面５４４の下方の外縁には、立ち上げ部は存在しない。絶縁カバー５４０は、この立ち上げ部は存在しない箇所から、負極端子立ち上げ部５２４と正極端子立ち上げ部５２６との間に挿入される。
【０１４０】
挿入された絶縁カバー５４０は、上部立ち上げ部５４１によって正極側コンデンサ端子５０６に引っ掛けられ、負極端子立ち上げ部５２４と正極端子立ち上げ部５２６との間に固定される。なお、上部立ち上げ部５４１が、正極側コンデンサ端子５０６側に向けられる。これにより、正極側コンデンサ端子５０６の露出部分を覆うことができ、当該端子の絶縁を確保することができる。
【０１４１】
本実施形態に係るコンデンサモジュール５００は、当該コンデンサモジュール５００からパワーモジュール３００までの配線インダクタンスを低減するために、負極端子立ち上げ部５２４と正極端子立ち上げ部５２６が積層状態で形成される。しかし、これら負極端子立ち上げ部５２４と正極端子立ち上げ部５２６との間は、絶縁を確保する必要がある。そこで、第一実施形態に係る絶縁カバー５４０の上部立ち上げ部５４１，側部立ち上げ部５４２，５４３が、負極端子立ち上げ部５２４と正極端子立ち上げ部５２６との間の沿面距離を確保して、絶縁を達成している。
【０１４２】
本実施形態に係る絶縁カバー５４０のように、上部立ち上げ部５４１等を絶縁カバー５４０の成型時と同時に形成することで、絶縁紙を折り曲げる等の作業が不要となり、作業性が向上する。また、筐体１２内壁と負極端子立ち上げ部５２４等との間の距離が短い場合であっても、本実施形態に係る絶縁カバー５４０の側部立ち上げ部５４３は筐体１２内壁と干渉することはない。
【０１４３】
図２５は、第２実施形態に係る絶縁紙５３５の外観斜視図である。本実施形態に係る絶縁紙５３５が、第１実施形態に係る絶縁カバー５４０と異なるところは、上部立ち上げ部５４１，側部立ち上げ部５４２，５４３が存在せず、絶縁のための沿面距離を確保するための絶縁紙上部５３６及び絶縁紙側部５３７が存在することである。
【０１４４】
そして、絶縁紙上部５３６は、正極側コンデンサ端子５０６側に折り曲げられる。これにより、正極側コンデンサ端子５０６の露出部分を覆うことができ、当該端子の絶縁を確保することができる。
【０１４５】
本実施形態に係る絶縁紙５３５によって、コストを抑えて絶縁を確保することができる。
【０１４６】
図２６は、第３実施形態に係る絶縁カバー５４５の外観斜視図である。本実施形態に係る絶縁カバー５４５が、第１実施形態に係る絶縁カバー５４０と異なるところは、側部立ち上げ部５４３の立ち上げ方向とは反対方向に立ち上げられた側部立ち上げ部５４４が形成されることである。
【０１４７】
筐体１２側の負極端子立ち上げ部５２４が側部立ち上げ部５４４により覆われ、筐体１２内壁と負極端子立ち上げ部５２４との間の絶縁を確保することができる。
【０１４８】
なお、第１から第３の実施形態のいずれの場合にも、筐体１２の内壁、特に負極端子立ち上げ部５２４と正極端子立ち上げ部５２６の近傍の内壁に、絶縁のための処理を施すことによって、絶縁を確保してもよい。絶縁処理の具体的例としては、アルマイト処理，絶縁シートを筐体１２内壁に貼る、などが挙げられる。
【図面の簡単な説明】
【０１４９】
【図１】ハイブリッド自動車の制御ブロックを示す図である。
【図２】インバータ装置の電機回路構成を説明する図である。
【図３】電力変換装置の外観を示す斜視図である。
【図４】電力変換装置の内部構成を示す分解斜視図である。
【図５】冷却水流路を有する筐体のアルミ鋳造品に冷却水入口配管と出口配管を取り付けた図であり、（ａ）は筐体の斜視図、（ｂ）は筐体の上面図、（ｃ）は筐体の下面図である。
【図６】筐体の下面図の詳細図である。
【図７】図６のＡ−Ａ断面図である。
【図８】パワーモジュールを示す図であり、（ａ）は上方斜視図、（ｂ）は上面図である。
【図９】本実施形態に関するパワーモジュール３００の直流端子の分解斜視図である。
【図１０】直流バスバーの構造を分かりやすくするため、パワーモジュールケース３０２を一部透明にした断面図である。
【図１１】パワーモジュール３００内の電流の流れを示す図である。
【図１２】本実施形態に関するコンデンサモジュール５００の外観構成を示す斜視図である。
【図１３】図１２に示すコンデンサモジュール５００の内部が分かるように、樹脂などの充填材５２２を充填する前の状態を示す斜視図である。
【図１４】図１４は、ノイズフィルタ用のコンデンサ５５６，５５７及び放電抵抗５３０の接続状態を模式的に示した図である。
【図１５】コンデンサモジュール５００周辺の回路図である。
【図１６】本実施形態のように、２つのパワーモジュールが共通のコンデンサモジュールと接続された形態を説明した図である。
【図１７】コンデンサモジュール５００の概観図に電気的流れを表した図である。
【図１８】他の実施形態に係るコンデンサモジュール５００の概観図に電気的流れを表した図である。
【図１９】コンデンサモジュール５００内部の電気的接続を物理的位置関係で表した図である。
【図２０】他の実施形態に係るコンデンサモジュール５００内部の電気的接続を物理的位置関係で表した図である。
【図２１】図３のＡ断面の模式図である。
【図２２】導電性部材５７０の外観斜視図である。
【図２３】導電性部材５７０の外観図である。
【図２４】本実施形態に係る絶縁カバー５４０の外観斜視図である。
【図２５】他の実施形態に係る絶縁紙５３５の外観斜視図である。
【図２６】他の実施形態に係る絶縁カバー５４５の外観斜視図である。
【符号の説明】
【０１５０】
１６  下部ケース
５００  コンデンサモジュール
５０２  コンデンサモジュールケース
５０４Ａ  負極側コンデンサ端子
５０６Ａ  正極側コンデンサ端子
５１０  負極側接続端子部
５１１Ａ  開口部
５１２  正極側接続端子部
５２２  充填材
５３０  放電抵抗
５４０Ａ  絶縁カバー
５４９  ボルト孔
【図１】
2010110065.tif 000003
【図２】
2010110065.tif 000004
【図３】
2010110065.tif 000005
【図４】
2010110065.tif 000006
【図５】
2010110065.tif 000007
【図６】
2010110065.tif 000008
【図７】
2010110065.tif 000009
【図８】
2010110065.tif 000010
【図９】
2010110065.tif 000011
【図１０】
2010110065.tif 000012
【図１１】
2010110065.tif 000013
【図１２】
2010110065.tif 000014
【図１３】
2010110065.tif 000015
【図１４】
2010110065.tif 000016
【図１５】
2010110065.tif 000017
【図１６】
2010110065.tif 000018
【図１７】
2010110065.tif 000019
【図１８】
2010110065.tif 000020
【図１９】
2010110065.tif 000021
【図２０】
2010110065.tif 000022
【図２１】
2010110065.tif 000023
【図２２】
2010110065.tif 000024
【図２３】
2010110065.tif 000025
【図２４】
2010110065.tif 000026
【図２５】
2010110065.tif 000027
【図２６】
2010110065.tif 000028